(57)【要約】【課題】フーチング構築周辺の地盤の剛性を高めてフーチングの支持力を高めることができる安価な新設基礎構造を提供する。【解決手段】地盤１１のフーチング構築予定位置の周囲に環状の地中壁１３を埋設し、この環状の地中壁１３内に先端１４ａが所定位置１２まで打ち込まれた複数の杭１４の頭部１４ｂにフーチング１５を構築して成る新設基礎構造１０において、環状の地中壁１３を複数の杭１４の水平抵抗に有効な範囲の深度まで埋設すると共に、該環状の地中壁１３内の地盤１１を複数の杭１４の水平抵抗に有効な範囲の深度まで固化改良した。この固化改良部分を符号Ａで示す。【選択図】図１
2007247339.tif 000002
【特許請求の範囲】
【請求項１】
地盤のフーチング構築予定位置の周囲に環状の地中壁を埋設し、この環状の地中壁内に先端が所定位置まで打ち込まれた複数の杭の頭部にフーチングを構築して成る新設基礎構造において、
前記環状の地中壁を前記複数の杭の水平抵抗に有効な範囲の深度まで埋設すると共に、該環状の地中壁内の地盤を前記複数の杭の水平抵抗に有効な範囲の深度まで固化改良したことを特徴とする新設基礎構造。
【請求項２】
地盤のフーチング構築予定位置の周囲に環状の地中壁を埋設し、この環状の地中壁内に先端が所定位置まで打ち込まれた複数の杭の頭部にフーチングを構築して成る新設基礎構造において、
前記環状の地中壁を前記複数の杭の水平抵抗に有効な範囲の深度まで埋設すると共に、該環状の地中壁内の地盤を前記複数の杭の水平抵抗に有効な範囲の深度まで固化改良し、かつ前記環状の地中壁の内面と前記固化改良部分との間の間詰め部分を更に固化改良したことを特徴とする新設基礎構造。
【請求項３】
地盤のフーチング構築予定位置の周囲に環状の地中壁を埋設し、この環状の地中壁内に先端が所定位置まで打ち込まれた複数の杭の頭部にフーチングを構築して成る新設基礎構造において、
前記環状の地中壁を前記複数の杭の水平抵抗に有効な範囲の深度まで埋設すると共に、該環状の地中壁の内側と外側の地盤を前記複数の杭の水平抵抗に有効な範囲の深度まで固化改良したことを特徴とする新設基礎構造。
【発明の詳細な説明】
【技術分野】
【０００１】
本発明は、複数の新設杭上に新設フーチングを構築した新設基礎構造に関する。
【背景技術】
【０００２】
この種の新設基礎構造として、図１７に示すものがある（例えば、特許文献１参照）。
【０００３】
図１７に示すように、新設基礎構造としての杭基礎１は、地盤２のフーチング構築予定位置の周囲に四角筒状の鉄筋コンクリート製矢板３を埋設し、この四角筒状の鉄筋コンクリート製矢板３内に打ち込まれた複数の杭４の頭部４ａにフーチング５を構築して成る。このフーチング５を構築した後、地盤２内には鉄筋コンクリート製矢板３が残置されるようになっている。
【特許文献１】特開２０００−１２９６９６号公報
【特許文献２】特開２０００−８０６６３号公報
【発明の開示】
【発明が解決しようとする課題】
【０００４】
しかしながら、前記従来の杭基礎１は、四角筒状の鉄筋コンクリート製矢板３内の地盤２中に複数の杭４を単に打設しただけの構造であるため、大径や本数の多い杭４を用いないと杭４の水平抵抗（水平方向の受働抵抗）の低下を招き、杭基礎の支持力が十分に得られなかった。また、鉄筋コンクリート製矢板３を地盤２の地中深くまで埋設しなければならないため、その分コスト高であった。
【０００５】
そこで、本発明は、前記した課題を解決すべくなされたものであり、フーチング構築周辺及び杭の周辺の地盤の剛性を高めて基礎構造全体の耐力を高めることができる安価な新設基礎構造を提供することを目的とする。
【課題を解決するための手段】
【０００６】
請求項１の発明は、地盤のフーチング構築予定位置の周囲に環状の地中壁を埋設し、この環状の地中壁内に先端が所定位置まで打ち込まれた複数の杭の頭部にフーチングを構築して成る新設基礎構造において、前記環状の地中壁を前記複数の杭の水平抵抗に有効な範囲の深度まで埋設すると共に、該環状の地中壁内の地盤を前記複数の杭の水平抵抗に有効な範囲の深度まで固化改良したことを特徴とする。
【０００７】
請求項２の発明は、地盤のフーチング構築予定位置の周囲に環状の地中壁を埋設し、この環状の地中壁内に先端が所定位置まで打ち込まれた複数の杭の頭部にフーチングを構築して成る新設基礎構造において、前記環状の地中壁を前記複数の杭の水平抵抗に有効な範囲の深度まで埋設すると共に、該環状の地中壁内の地盤を前記複数の杭の水平抵抗に有効な範囲の深度まで固化改良し、かつ前記環状の地中壁の内面と前記固化改良部分との間の間詰め部分を更に固化改良したことを特徴とする。
【０００８】
請求項３の発明は、地盤のフーチング構築予定位置の周囲に環状の地中壁を埋設し、この環状の地中壁内に先端が所定位置まで打ち込まれた複数の杭の頭部にフーチングを構築して成る新設基礎構造において、前記環状の地中壁を前記複数の杭の水平抵抗に有効な範囲の深度まで埋設すると共に、該環状の地中壁の内側と外側の地盤を前記複数の杭の水平抵抗に有効な範囲の深度まで固化改良したことを特徴とする。
【発明の効果】
【０００９】
以上説明したように、請求項１の発明によれば、フーチング構築周辺の地盤に埋設される環状の地中壁を複数の杭の水平抵抗に有効な範囲の深度まで埋設すると共に、該環状の地中壁内の地盤を複数の杭の水平抵抗に有効な範囲の深度まで固化改良したことにより、フーチング構築周辺及び杭の周辺の地盤の剛性をより一段と高めて基礎構造全体の耐力をより一段と高めることができる。
【００１０】
請求項２の発明によれば、フーチング構築周辺の地盤に埋設される環状の地中壁を複数の杭の水平抵抗に有効な範囲の深度まで埋設すると共に、該環状の地中壁内の地盤を複数の杭の水平抵抗に有効な範囲の深度まで固化改良し、かつ環状の地中壁の内面と固化改良部分との間の間詰め部分を更に固化改良したことにより、フーチング構築周辺及び杭の周辺の地盤の剛性をより一段と高めて基礎構造全体の耐力をより一段と高めることができる。
【００１１】
請求項３の発明によれば、フーチング構築周辺の地盤に埋設される環状の地中壁を複数の杭の水平抵抗に有効な範囲の深度まで埋設すると共に、該環状の地中壁の内側と外側の地盤を複数の杭の水平抵抗に有効な範囲の深度まで固化改良したことにより、フーチング構築周辺及び杭の周辺の地盤の剛性をより一段と高めて基礎構造全体の耐力をより一段と高めることができる。
【発明を実施するための最良の形態】
【００１２】
以下、本発明の実施形態を図面に基づいて説明する。
【００１３】
図１は本発明の第１実施形態の新設基礎構造を示す断面図、図２（ａ）は地盤に地中壁を埋設すると共に同地中壁内の地盤を地盤改良した状態を示す断面図、図２（ｂ）は同地中壁内の地盤及び地盤改良した部分を削孔した状態を示す断面図、図３は同地盤改良の削孔した部分に新設杭を打設した状態を示す断面図、図４は同地中壁内の地盤を掘削した状態を示す断面図、図５は同新設杭の頭部上に新設フーチングを構築した状態を示す断面図である。
【００１４】
図１，図５に示すように、新設基礎構造１０は、地盤１１のフーチング構築予定位置の周囲に埋設された四角筒状の鋼矢板壁（環状の地中壁）１３と、この四角筒状の鋼矢板壁１３内において先端１４ａが支持層（所定位置）１２まで打ち込まれた複数の杭１４と、この複数の杭１４の頭部１４ｂ上に構築されたフーチング（基礎）１５とを備えている。
【００１５】
このフーチング構築周辺の地盤１１には、四角筒状の鋼矢板壁１３を複数の杭１４の水平抵抗に有効な範囲（例えば、１／β〜π／２β）の深度まで埋設してある。また、四角筒状の鋼矢板壁１３内の地盤１１の全域（全部）を複数の杭１４の水平抵抗に有効な範囲の深度まで機械・噴射攪拌工法により地盤改良（固化改良）してある。この固化改良部分を符号Ａで示す。
【００１６】
尚、複数の杭１４の水平抵抗に有効な範囲とは、例えば、半無限長さの杭の場合（Ｃｈａｎｇの方法）の特性値（β）の逆数（１／β）の特性長をいう。
【００１７】
また、鉄筋コンクリート製のフーチング１５の外周面１５ａは、四角筒状の鋼矢板壁１３の内周面（内面）１３ａに隙間なく構築されて該四角筒状の鋼矢板壁１３に一体化されて固定されている。
【００１８】
次に、上記第１実施形態の新設基礎構造１０の施工手順を説明する。
【００１９】
まず、図２（ａ）に示すように、フーチング構築周辺の地盤１１に、四角筒状の鋼矢板壁１３を複数の杭１４の水平抵抗に有効な範囲の深度まで打設する。そして、四角筒状の鋼矢板壁１３内の地盤１１の全域を複数の杭１４の水平抵抗に有効な範囲の深度まで機械・噴射攪拌工法によりセメントミルク等の固化材の注入・攪拌混合により固化改良する。次に、図２（ｂ）に示すように、四角筒状の鋼矢板壁１３内の地盤１１及び固化改良部分Ａの所定位置に複数の杭１４を打設するための、複数の孔Ｂを孔削する。
【００２０】
次に、図３に示すように、固化改良部分Ａの各孔Ｂ内に場所打ちコンクリート杭１４をその先端１４ａが支持層１２に達するまで打ち込む。杭１４がコンクリート杭、鋼管杭等の既製の杭の場合は、その先端１４ａが支持層１２に達するまで打ち込む。この際に、各杭１４と固化改良部分Ａの各孔Ｂとの隙間にセメントミルク等の間詰め固化材Ｃを充填する。次に、図４に示すように、四角筒状の鋼矢板壁１３内の上部の地盤１１を掘削する。
【００２１】
次に、図５に示すように、各杭１４の頭部１４ｂの頂面及び固化改良部分Ａの上面に鉄筋コンクリート製のフーチング１５を構築する。この際に、四角筒状の鋼矢板壁１３の内周面１３ａを型枠として用いて、鉄筋コンクリート製のフーチング１５の外周面１５ａを四角筒状の鋼矢板壁１３の内周面１３ａに隙間なく構築して該四角筒状の鋼矢板壁１３と一体化する。そして、鉄筋コンクリート製のフーチング１５の上面１５ｂより上方に突出した四角筒状の鋼矢板壁１３の上部を切断・撤去すると共に、該鉄筋コンクリート製のフーチング１５の上面１５ｂ上に前記掘削した地盤１１を埋め戻すことにより、図１に示す新設基礎構造１０が完成する。
【００２２】
このように、フーチング構築周辺の地盤１１中に複数の杭１４の水平抵抗に有効な範囲の深度まで埋設された四角筒状の鋼矢板壁１３の内周面１３ａにフーチング１５の外周面１５ａを密接して当該フーチング１５と鋼矢板壁１３とを一体化して固定すると共に、該四角筒状の鋼矢板壁１３内の地盤１１を複数の杭１４の水平抵抗に有効な範囲の深度まで地盤改良して固化したので、図１７に示す従来の杭基礎１に比べて杭１４の本数を減らしたり、小径のものを用いても従来のものよりも新設基礎構造１０の全体の剛性（強度）を向上させることができると共に、その分低コスト化を図ることができる。
【００２３】
また、四角筒状の鋼矢板壁１３と鉄筋コンクリート製のフーチング１５を一体化して固定すると共に、四角筒状の鋼矢板壁１３内の鉄筋コンクリート製のフーチング１５の真下の地盤１１の全域を複数の杭１２の水平抵抗に有効な範囲の深度まで固化改良したので、鉄筋コンクリート製のフーチング１５及び固化改良部分Ａの強度と四角筒状の鋼矢板壁１３による拘束効果により複数の杭１２の水平抵抗（横抵抗）を増大させることができる。さらに、四角筒状の鋼矢板壁１３内の複数の杭１４の頭部１４ｂの周辺地盤の固化改良によりその付着抵抗が増大し、鉛直支持力を増大させることができる。
【００２４】
また、四角筒状の鋼矢板壁１３内の全域の地盤改良に伴う内圧の増加により新設の鉄筋コンクリート製のフーチング１５の周りの剛性がより一段と増加する。さらに、四角筒状の鋼矢板壁１３の剛性によりフーチング１５の周りの変形を抑制する効果があると共に、四角筒状の鋼矢板壁１３自体が変形抵抗（リング効果）があるため、レベル２クラスの地震荷重作用時のフーチング１５の水平変位及び回転を抑制し、耐震性を向上させることができる。これらにより、新設基礎構造１０の耐力を向上させることができる。
【００２５】
尚、四角筒状の鋼矢板壁１３を粘土層等の非液状化層まで根入れすることにより、中間層の液状化を抑制することができる。
【００２６】
図６は本発明の第２実施形態の新設基礎構造を示す断面図、図７（ａ）は地盤に地中壁を埋設すると共に同地中壁内の地盤を地盤改良した状態を示す断面図、図７（ｂ）は同地中壁と地盤改良した部分の間を間詰め改良すると共に地中壁内の地盤及び地盤改良した部分を削孔した状態を示す断面図、図８は同地盤改良の削孔した部分に新設杭を打設した状態を示す断面図、図９は同地中壁内の地盤の掘削した状態を示す断面図、図１０は同新設杭の頭部上に新設フーチングを構築した状態を示す断面図である。
【００２７】
図６，図１０に示すように、新設基礎構造１０′は、地盤１１のフーチング構築予定位置の周囲に埋設された四角筒状の鋼矢板壁（環状の地中壁）１３と、この四角筒状の鋼矢板壁１３内において先端１４ａが支持層（所定位置）１２まで打ち込まれた複数の杭１４と、この複数の杭１４の頭部１４ｂ上に構築されたフーチング（基礎）１５とを備えている。
【００２８】
このフーチング構築周辺の地盤１１には、四角筒状の鋼矢板壁１３を複数の杭１４の水平抵抗に有効な範囲（例えば、１／β〜π／２β）の深度まで埋設してある。また、四角筒状の鋼矢板壁１３内の地盤１１の略全域を複数の杭１４の水平抵抗に有効な範囲の深度まで機械攪拌工法により地盤改良（固化改良）してある。この固化改良部分を符号Ａで示す。さらに、四角筒状の地中壁の鋼矢板壁（内面）１３ａと固化改良部分Ａとの間の間詰め部分Ｄを更に噴射攪拌工法により固化改良してある。
【００２９】
また、鉄筋コンクリート製のフーチング１５の外周面１５ａは、四角筒状の鋼矢板壁１３の内周面１３ａに隙間なく構築されて該四角筒状の鋼矢板壁１３に一体化されて固定されている。
【００３０】
次に、上記第２実施形態の新設基礎構造１０′の施工手順を説明する。
【００３１】
まず、図７（ａ）に示すように、フーチング構築周辺の地盤１１に、四角筒状の鋼矢板壁１３を複数の杭１４の水平抵抗に有効な範囲の深度まで打設する。そして、四角筒状の鋼矢板壁１３内の地盤１１の略全域を複数の杭１４の水平抵抗に有効な範囲の深度まで機械式攪拌工法によりセメントミルク等の固化材の注入・攪拌混合により固化改良する。次に、図７（ｂ）に示すように、四角筒状の地中壁の鋼矢板壁１３ａと固化改良部分Ａとの間に噴射攪拌工法により間詰め部分Ｄを更に固化改良した後で、四角筒状の鋼矢板壁１３内の地盤１１及び固化改良部分Ａの所定位置に複数の杭１４を打設するための、複数の孔Ｂを孔削する。
【００３２】
次に、図８に示すように、固化改良部分Ａの各孔Ｂ内に場所打ちコンクリート杭１４をその先端１４ａが支持層１２に達するまで打ち込む。杭１４がコンクリート杭、鋼管杭等の既製の杭の場合は、その先端１４ａが支持層１２に達するまで打ち込む。この際に、この際に、各杭１４と固化改良部分Ａの各孔Ｂとの隙間にセメントミルク等の間詰め固化材Ｃを充填する。次に、図９に示すように、四角筒状の鋼矢板壁１３内の上部の地盤１１を掘削する。
【００３３】
次に、図１０に示すように、各杭１４の頭部１４ｂの頂面及び固化改良部分Ａ及び間詰め部分Ｄの上面に鉄筋コンクリート製のフーチング１５を構築する。この際に、四角筒状の鋼矢板壁１３の内周面１３ａを型枠として用いて、鉄筋コンクリート製のフーチング１５の外周面１５ａを四角筒状の鋼矢板壁１３の内周面１３ａに隙間なく構築して該四角筒状の鋼矢板壁１３と一体化する。そして、鉄筋コンクリート製のフーチング１５の上面１５ｂより上方に突出した四角筒状の鋼矢板壁１３の上部を切断・撤去すると共に、該鉄筋コンクリート製のフーチング１５の上面１５ｂ上に前記掘削した地盤１１を埋め戻すことにより、図６に示す新設基礎構造１０′が完成する。
【００３４】
このように、フーチング構築周辺の地盤１１中に複数の杭１４の水平抵抗に有効な範囲の深度まで埋設された四角筒状の鋼矢板壁１３の内周面１３ａにフーチング１５の外周面１５ａを密接して当該フーチング１５と鋼矢板壁１３とを一体化して固定すると共に、該四角筒状の鋼矢板壁１３内の地盤１１を複数の杭１４の水平抵抗に有効な範囲の深度まで地盤改良して固化し、かつ、四角筒状の地中壁の鋼矢板壁１３ａと固化改良部分Ａとの間の間詰め部分Ｄを更に固化改良したので、図１７に示す従来の杭基礎１に比べて杭１４の本数を減らしたり、小径のものを用いても従来のものよりも新設基礎構造１０′の全体の剛性（強度）を向上させることができると共に、その分低コスト化を図ることができる。
【００３５】
また、四角筒状の鋼矢板壁１３と鉄筋コンクリート製のフーチング１５を一体化して固定すると共に、四角筒状の鋼矢板壁１３内の鉄筋コンクリート製のフーチング１５の真下の地盤１１の全域を複数の杭１２の水平抵抗に有効な範囲の深度まで固化改良し、かつ、四角筒状の地中壁の鋼矢板壁１３ａと固化改良部分Ａとの間の間詰め部分Ｄを更に固化改良したので、鉄筋コンクリート製のフーチング１５と固化改良部分Ａ及び間詰め部分Ｄの強度と四角筒状の鋼矢板壁１３による拘束効果により複数の杭１２の水平抵抗（横抵抗）を増大させることができる。さらに、四角筒状の鋼矢板壁１３内の複数の杭１４の頭部１４ｂの周辺地盤の固化改良によりその付着抵抗が増大し、鉛直支持力を増大させることができる。
【００３６】
また、四角筒状の鋼矢板壁１３内の全域の地盤改良に伴う内圧の増加により新設の鉄筋コンクリート製のフーチング１５の周りの剛性がより一段と増加する。さらに、四角筒状の鋼矢板壁１３の剛性によりフーチング１５の周りの変形を抑制する効果があると共に、四角筒状の鋼矢板壁１３自体が変形抵抗（リング効果）があるため、レベル２クラスの地震荷重作用時のフーチング１５の水平変位及び回転を抑制し、耐震性を向上させることができる。これらにより、新設基礎構造１０′の耐力を向上させることができる。
【００３７】
図１１は本発明の第３実施形態の新設基礎構造を示す断面図、図１２（ａ）は地盤を地盤改良した状態を示す断面図、図１２（ｂ）は同地盤改良した部分に地中壁を埋設した状態を示す断面図、図１３は同地中壁内の地盤及び地盤改良した部分を削孔した状態を示す断面図、図１４は同地盤改良の削孔した部分に新設杭を打設した状態を示す断面図、図１５は同地中壁内の地盤を掘削した状態を示す断面図、図１６は同新設杭の頭部上に新設フーチングを構築した状態を示す断面図である。
【００３８】
図１１，図１６に示すように、新設基礎構造１０″は、地盤１１のフーチング構築予定位置の周囲に埋設された四角筒状の鋼矢板壁（環状の地中壁）１３と、この四角筒状の鋼矢板壁１３内において先端１４ａが支持層（所定位置）１２まで打ち込まれた複数の杭１４と、この複数の杭１４の頭部１４ｂ上に構築されたフーチング（基礎）１５とを備えている。
【００３９】
このフーチング構築周辺の地盤１１には、四角筒状の鋼矢板壁１３を複数の杭１４の水平抵抗に有効な範囲（例えば、１／β〜π／２β）の深度まで埋設してある。また、四角筒状の鋼矢板壁１３の内側と外側の地盤１１の全域（全部）を複数の杭１４の水平抵抗に有効な範囲の深度まで機械・噴射攪拌工法により地盤改良（固化改良）してある。この固化改良部分を符号Ａで示す。
【００４０】
また、鉄筋コンクリート製のフーチング１５の外周面１５ａは、四角筒状の鋼矢板壁１３の内周面（内面）１３ａに隙間なく構築されて該四角筒状の鋼矢板壁１３に一体化されて固定されている。
【００４１】
次に、上記第３実施形態の新設基礎構造１０″の施工手順を説明する。
【００４２】
まず、図１２（ａ）に示すように、フーチング構築周辺の地盤１１を複数の杭１４の水平抵抗に有効な範囲の深度まで遅延剤を使用した機械式攪拌工法によりセメントミルク等の固化材の注入・攪拌混合により固化改良する。次に、図１２（ｂ）に示すように、フーチング構築周辺の地盤１１の固化改良部分Ａが固化する前に、該固化改良部分Ａ内に四角筒状の鋼矢板壁１３を複数の杭１４の水平抵抗に有効な範囲の深度まで打設する。この際、図１２（ｂ）に示すように、四角筒状の鋼矢板壁１３の内側と外側に固化改良部分Ａが位置する。そして、図１３に示すように、四角筒状の鋼矢板壁１３内の地盤１１及び固化改良部分Ａの所定位置に複数の杭１４を打設するための、複数の孔Ｂを孔削する。
【００４３】
次に、図１４に示すように、固化改良部分Ａの各孔Ｂ内に場所打ちコンクリート杭１４をその先端１４ａが支持層１２に達するまで打ち込む。杭１４がコンクリート杭、鋼管杭等の既製の杭の場合は、その先端１４ａが支持層１２に達するまで打ち込む。この際に、各杭１４と固化改良部分Ａの各孔Ｂとの隙間にセメントミルク等の間詰め固化材Ｃを充填する。次に、図１５に示すように、四角筒状の鋼矢板壁１３内の上部の地盤１１及び固化改良部分Ａの上部を掘削する。
【００４４】
次に、図１６に示すように、各杭１４の頭部１４ｂの頂面及び固化改良部分Ａの上面に鉄筋コンクリート製のフーチング１５を構築する。この際に、四角筒状の鋼矢板壁１３の内周面１３ａを型枠として用いて、鉄筋コンクリート製のフーチング１５の外周面１５ａを四角筒状の鋼矢板壁１３の内周面１３ａに隙間なく構築して該四角筒状の鋼矢板壁１３と一体化する。そして、鉄筋コンクリート製のフーチング１５の上面１５ｂより上方に突出した四角筒状の鋼矢板壁１３の上部を切断・撤去すると共に、該鉄筋コンクリート製のフーチング１５の上面１５ｂ上に前記掘削した地盤１１を埋め戻すことにより、図１１に示す新設基礎構造１０″が完成する。
【００４５】
このように、フーチング構築周辺の地盤１１中の固化改良部分Ａ内に複数の杭１４の水平抵抗に有効な範囲の深度まで埋設された四角筒状の鋼矢板壁１３の内周面１３ａにフーチング１５の外周面１５ａを密接して当該フーチング１５と鋼矢板壁１３とを一体化して固定すると共に、該四角筒状の鋼矢板壁１３の内側と外側の地盤１１を複数の杭１４の水平抵抗に有効な範囲の深度まで地盤改良して固化したので、図１７に示す従来の杭基礎１に比べて杭１４の本数を減らしたり、小径のものを用いても従来のものよりも新設基礎構造１０″の全体の剛性（強度）を向上させることができると共に、その分低コスト化を図ることができる。
【００４６】
また、四角筒状の鋼矢板壁１３と鉄筋コンクリート製のフーチング１５を一体化して固定すると共に、四角筒状の鋼矢板壁１３の内側の鉄筋コンクリート製のフーチング１５の真下の全域及び四角筒状の鋼矢板壁１３の外側の地盤１１を複数の杭１２の水平抵抗に有効な範囲の深度まで固化改良したので、鉄筋コンクリート製のフーチング１５及び固化改良部分Ａの強度と四角筒状の鋼矢板壁１３による拘束効果により複数の杭１２の水平抵抗（横抵抗）を増大させることができる。さらに、四角筒状の鋼矢板壁１３内の複数の杭１４の頭部１４ｂの周辺地盤の固化改良により付着抵抗が増大し、鉛直支持力を増大させることができる。
【００４７】
また、四角筒状の鋼矢板壁１３の内外の地盤改良に伴う内圧の増加により新設の鉄筋コンクリート製のフーチング１５の周りの剛性がより一段と増加する。さらに、四角筒状の鋼矢板壁１３の剛性によりフーチング１５の周りの変形を抑制する効果があると共に、四角筒状の鋼矢板壁１３自体が変形抵抗（リング効果）があるため、レベル２クラスの地震荷重作用時のフーチング１５の水平変位及び回転を抑制し、耐震性を向上させることができる。これらにより、新設基礎構造１０″の耐力を向上させることができる。
【００４８】
尚、前記各実施形態では、地盤１１のフーチング構築予定位置の周囲に四角筒状の鋼矢板壁１３を埋設したが、環状の地中壁の形状は円筒状でも良く、また、この鋼矢板壁１３の代わりに、四角筒状のソイルセメント壁（環状の地中壁）を複数の杭の水平抵抗に有効な範囲（例えば１／β〜π／２β）の深度まで柱列式地下連続壁造成工法等により形成しても良い。この鋼矢板壁１３の代わりにソイルセメント壁で環状の地中壁を形成すると、地盤条件や既設橋脚の状況により作業現場に最適な耐震補強をより一段と低コストで施工することができる。また、柱列式地下連続壁としてソイルセメント壁の代わりに、場所打ち杭壁や既製杭壁等を用いて環状の地中壁を形成しても良い。
【００４９】
さらに、前記各実施形態によれば、新設基礎構造として地上の地中橋脚を新設する場合について説明したが、前記各実施形態を河川横断部等の水中橋脚（水中新設基礎）に適用できることは勿論である。また、前記各実施形態によれば、環状の地中壁内の地盤の全域を固化改良したが、例えば、環状の地中壁内の中央の地盤を無処理にして残す等、環状の地中壁内の地盤の一部のみを固化改良するようにしても良いことは勿論である。
【図面の簡単な説明】
【００５０】
【図１】本発明の第１実施形態の新設基礎構造を示す断面図である。
【図２】（ａ）は上記第１実施形態の地盤に地中壁を埋設すると共に同地中壁内の地盤を地盤改良した状態を示す断面図、（ｂ）は同地中壁内の地盤及び地盤改良した部分を削孔した状態を示す断面図である。
【図３】上記第１実施形態の地盤改良の削孔した部分に新設杭を打設した状態を示す断面図である。
【図４】は上記第１実施形態の地中壁内の地盤を掘削した状態を示す断面図である。
【図５】上記第１実施形態の新設杭の頭部上に新設フーチングを構築した状態を示す断面図である。
【図６】本発明の第２実施形態の新設基礎構造を示す断面図である。
【図７】（ａ）は上記第２実施形態の地盤に地中壁を埋設すると共に同地中壁内の地盤を地盤改良した状態を示す断面図、（ｂ）は同地中壁と地盤改良した部分の間を間詰め改良すると共に同地中壁内の地盤及び地盤改良した部分を削孔した状態を示す断面図である。
【図８】上記第２実施形態の地盤改良の削孔した部分に新設杭を打設した状態を示す断面図である。
【図９】は上記第２実施形態の地中壁内の地盤の掘削した状態を示す断面図である。
【図１０】上記第２実施形態の新設杭の頭部上に新設フーチングを構築した状態を示す断面図である。
【図１１】本発明の第３実施形態の新設基礎構造を示す断面図である。
【図１２】（ａ）は上記第３実施形態の地盤を地盤改良した状態を示す断面図、（ｂ）は同地盤改良した部分に地中壁を埋設した状態を示す断面図である。
【図１３】上記第３実施形態の地中壁内の地盤及び地盤改良した部分を削孔した状態を示す断面図である。
【図１４】上記第３実施形態の地盤改良の削孔した部分に新設杭を打設した状態を示す断面図である。
【図１５】上記第３実施形態の地盤改良した部分を削孔した状態を示す断面図である。
【図１６】上記第３実施形態の新設杭の頭部上に新設フーチングを構築した状態を示す断面図である。
【図１７】従来例の新設基礎構造を示す断面図である。
【符号の説明】
【００５１】
１０，１０′，１０″  新設基礎構造節
１１  地盤
１２  支持層（所定位置）
１３  四角筒状の鋼矢板壁（環状の地中壁）
１３ａ  内周面（内面）
１４  杭
１４ａ  先端
１４ｂ  頭部
１５  フーチング
１５ａ  外周面
Ａ  固化改良部分
Ｄ  間詰め改良部分
【図１】
2007247339.tif 000003
【図２】
2007247339.tif 000004
【図３】
2007247339.tif 000005
【図４】
2007247339.tif 000006
【図５】
2007247339.tif 000007
【図６】
2007247339.tif 000008
【図７】
2007247339.tif 000009
【図８】
2007247339.tif 000010
【図９】
2007247339.tif 000011
【図１０】
2007247339.tif 000012
【図１１】
2007247339.tif 000013
【図１２】
2007247339.tif 000014
【図１３】
2007247339.tif 000015
【図１４】
2007247339.tif 000016
【図１５】
2007247339.tif 000017
【図１６】
2007247339.tif 000018
【図１７】
2007247339.tif 000019
【手続補正書】
【提出日】平成18年11月2日(2006.11.2)
【手続補正１】
【補正対象書類名】特許請求の範囲
【補正対象項目名】全文
【補正方法】変更
【補正の内容】
【特許請求の範囲】
【請求項１】
地盤のフーチング構築予定位置の周囲に環状の地中壁を埋設し、この環状の地中壁内に先端が所定位置まで打ち込まれた複数の杭の頭部にフーチングを構築して成る新設基礎構造において、
前記環状の地中壁を前記複数の杭の水平抵抗に有効な範囲の深度まで埋設すると共に、該環状の地中壁内の地盤を前記複数の杭の水平抵抗に有効な範囲の深度まで固化改良し、かつ前記複数の杭と前記固化改良部分との隙間に間詰め材を充填したことを特徴とする新設基礎構造。
【請求項２】
地盤のフーチング構築予定位置の周囲に環状の地中壁を埋設し、この環状の地中壁内に先端が所定位置まで打ち込まれた複数の杭の頭部にフーチングを構築して成る新設基礎構造において、
前記環状の地中壁を前記複数の杭の水平抵抗に有効な範囲の深度まで埋設すると共に、該環状の地中壁内の地盤を前記複数の杭の水平抵抗に有効な範囲の深度まで固化改良し、かつ前記環状の地中壁の内面と前記固化改良部分との間の間詰め部分を更に固化改良すると共に、前記複数の杭と前記固化改良部分との隙間に間詰め材を充填したことを特徴とする新設基礎構造。
【請求項３】
地盤のフーチング構築予定位置の周囲に環状の地中壁を埋設し、この環状の地中壁内に先端が所定位置まで打ち込まれた複数の杭の頭部にフーチングを構築して成る新設基礎構造において、
前記環状の地中壁を前記複数の杭の水平抵抗に有効な範囲の深度まで埋設すると共に、該環状の地中壁の内側と外側の地盤を前記複数の杭の水平抵抗に有効な範囲の深度まで固化改良し、かつ前記複数の杭と前記環状の地中壁の内側の固化改良部分との隙間に間詰め材を充填したことを特徴とする新設基礎構造。
【手続補正２】
【補正対象書類名】明細書
【補正対象項目名】０００６
【補正方法】変更
【補正の内容】
【０００６】
請求項１の発明は、地盤のフーチング構築予定位置の周囲に環状の地中壁を埋設し、この環状の地中壁内に先端が所定位置まで打ち込まれた複数の杭の頭部にフーチングを構築して成る新設基礎構造において、前記環状の地中壁を前記複数の杭の水平抵抗に有効な範囲の深度まで埋設すると共に、該環状の地中壁内の地盤を前記複数の杭の水平抵抗に有効な範囲の深度まで固化改良し、かつ前記複数の杭と前記固化改良部分との隙間に間詰め材を充填したことを特徴とする。
【手続補正３】
【補正対象書類名】明細書
【補正対象項目名】０００７
【補正方法】変更
【補正の内容】
【０００７】
請求項２の発明は、地盤のフーチング構築予定位置の周囲に環状の地中壁を埋設し、この環状の地中壁内に先端が所定位置まで打ち込まれた複数の杭の頭部にフーチングを構築して成る新設基礎構造において、前記環状の地中壁を前記複数の杭の水平抵抗に有効な範囲の深度まで埋設すると共に、該環状の地中壁内の地盤を前記複数の杭の水平抵抗に有効な範囲の深度まで固化改良し、かつ前記環状の地中壁の内面と前記固化改良部分との間の間詰め部分を更に固化改良すると共に、前記複数の杭と前記固化改良部分との隙間に間詰め材を充填したことを特徴とする。
【手続補正４】
【補正対象書類名】明細書
【補正対象項目名】０００８
【補正方法】変更
【補正の内容】
【０００８】
請求項３の発明は、地盤のフーチング構築予定位置の周囲に環状の地中壁を埋設し、この環状の地中壁内に先端が所定位置まで打ち込まれた複数の杭の頭部にフーチングを構築して成る新設基礎構造において、前記環状の地中壁を前記複数の杭の水平抵抗に有効な範囲の深度まで埋設すると共に、該環状の地中壁の内側と外側の地盤を前記複数の杭の水平抵抗に有効な範囲の深度まで固化改良し、かつ前記複数の杭と前記環状の地中壁の内側の固化改良部分との隙間に間詰め材を充填したことを特徴とする。
【手続補正５】
【補正対象書類名】明細書
【補正対象項目名】０００９
【補正方法】変更
【補正の内容】
【０００９】
以上説明したように、請求項１の発明によれば、フーチング構築周辺の地盤に埋設される環状の地中壁を複数の杭の水平抵抗に有効な範囲の深度まで埋設すると共に、該環状の地中壁内の地盤を複数の杭の水平抵抗に有効な範囲の深度まで固化改良し、かつ複数の杭と固化改良部分との隙間に間詰め材を充填したことにより、フーチング構築周辺及び杭の周辺の地盤の剛性をより一段と高めて基礎構造全体の耐力をより一段と高めることができる。
【手続補正６】
【補正対象書類名】明細書
【補正対象項目名】００１０
【補正方法】変更
【補正の内容】
【００１０】
請求項２の発明によれば、フーチング構築周辺の地盤に埋設される環状の地中壁を複数の杭の水平抵抗に有効な範囲の深度まで埋設すると共に、該環状の地中壁内の地盤を複数の杭の水平抵抗に有効な範囲の深度まで固化改良し、かつ環状の地中壁の内面と固化改良部分との間の間詰め部分を更に固化改良すると共に、複数の杭と固化改良部分との隙間に間詰め材を充填したことにより、フーチング構築周辺及び杭の周辺の地盤の剛性をより一段と高めて基礎構造全体の耐力をより一段と高めることができる。
【手続補正７】
【補正対象書類名】明細書
【補正対象項目名】００１１
【補正方法】変更
【補正の内容】
【００１１】
請求項３の発明によれば、フーチング構築周辺の地盤に埋設される環状の地中壁を複数の杭の水平抵抗に有効な範囲の深度まで埋設すると共に、該環状の地中壁の内側と外側の地盤を複数の杭の水平抵抗に有効な範囲の深度まで固化改良し、かつ複数の杭と環状の地中壁の内側の固化改良部分との隙間に間詰め材を充填したことにより、フーチング構築周辺及び杭の周辺の地盤の剛性をより一段と高めて基礎構造全体の耐力をより一段と高めることができる。
【手続補正８】
【補正対象書類名】明細書
【補正対象項目名】００２０
【補正方法】変更
【補正の内容】
【００２０】
次に、図３に示すように、固化改良部分Ａの各孔Ｂ内に場所打ちコンクリート杭１４をその先端１４ａが支持層１２に達するまで打ち込む。杭１４がコンクリート杭、鋼管杭等の既製の杭の場合は、その先端１４ａが支持層１２に達するまで打ち込む。この際に、各杭１４と固化改良部分Ａの各孔Ｂとの隙間にセメントミルク等の間詰め固化材（間詰め材）Ｃを充填する。次に、図４に示すように、四角筒状の鋼矢板壁１３内の上部の地盤１１を掘削する。
【手続補正９】
【補正対象書類名】明細書
【補正対象項目名】００３２
【補正方法】変更
【補正の内容】
【００３２】
次に、図８に示すように、固化改良部分Ａの各孔Ｂ内に場所打ちコンクリート杭１４をその先端１４ａが支持層１２に達するまで打ち込む。杭１４がコンクリート杭、鋼管杭等の既製の杭の場合は、その先端１４ａが支持層１２に達するまで打ち込む。この際に、この際に、各杭１４と固化改良部分Ａの各孔Ｂとの隙間にセメントミルク等の間詰め固化材（間詰め材）Ｃを充填する。次に、図９に示すように、四角筒状の鋼矢板壁１３内の上部の地盤１１を掘削する。
【手続補正１０】
【補正対象書類名】明細書
【補正対象項目名】００３９
【補正方法】変更
【補正の内容】
【００３９】
このフーチング構築周辺の地盤１１には、四角筒状の鋼矢板壁１３を複数の杭１４の水平抵抗に有効な範囲（例えば、１／β〜π／２β）の深度まで埋設してある。また、四角筒状の鋼矢板壁１３の内側と外側の地盤１１の全域（全部）を複数の杭１４の水平抵抗に有効な範囲の深度まで機械攪拌工法により地盤改良（固化改良）してある。この固化改良部分を符号Ａで示す。
【手続補正１１】
【補正対象書類名】明細書
【補正対象項目名】００４３
【補正方法】変更
【補正の内容】
【００４３】
次に、図１４に示すように、固化改良部分Ａの各孔Ｂ内に場所打ちコンクリート杭１４をその先端１４ａが支持層１２に達するまで打ち込む。杭１４がコンクリート杭、鋼管杭等の既製の杭の場合は、その先端１４ａが支持層１２に達するまで打ち込む。この際に、各杭１４と固化改良部分Ａの各孔Ｂとの隙間にセメントミルク等の間詰め固化材（間詰め材）Ｃを充填する。次に、図１５に示すように、四角筒状の鋼矢板壁１３内の上部の地盤１１及び固化改良部分Ａの上部を掘削する。